(57)【要約】【課題】  パネル部の表面におけるヒケの発生を低減して外観品質を向上させることができる計器ハウジング構造を提供する。【解決手段】  ハウジング本体１は、計器ケースに取り付けられた表示部を目視可能とする開口３ａ，３ｂ，３ｃが形成されたパネル部２と、これら開口３ａ，３ｂ，３ｃの周縁に沿ってパネル部２の裏側に延出させて形成されたフード部４ａ，４ｂ，４ｃと、計器ケースの嵌合孔部に嵌合し、パネル部２の裏側に突出して形成された複数の嵌合爪部５とを有しており、嵌合爪部５の基部には、パネル部２の表面のヒケを低減する肉盗み部としての凹部６が形成されている。【選択図】  図１
2006284253.tif 000002
【特許請求の範囲】
【請求項１】
計器ケースの表側に配設されるハウジング本体を有する計器ハウジングであって、
前記ハウジング本体は、前記計器ケースに取り付けられた表示部を目視可能とする開口が形成されたパネル部と、前記計器ケースの嵌合孔部に嵌合し、該パネル部の裏側に突出して形成された嵌合爪部とを有し、該嵌合爪部には前記パネル部の表面のヒケを低減する肉盗み部が形成されていることを特徴とする計器ハウジング構造。
【発明の詳細な説明】
【技術分野】
【０００１】
本発明は、車両用計器などにおける計器ハウジング構造に関するものである。
【背景技術】
【０００２】
速度計や回転計あるいはこれらを組み合わせたコンビネーションメータなどの車両用計器においては、文字板の周縁部を隠すため、計器ケースの前部に見返し部が取り付けられており、このような車両用計器の従来例として、図３に示すようなものが知られている（例えば、特許文献１等参照）。
【０００３】
この車両用計器は、計器ケース３１に見返し部３２および表ガラス部３３を組み付けて構成されている。
【０００４】
すなわち、表ガラス部３３には、外周縁部に沿って複数の嵌合爪部３４が、見返し部３２には、嵌合爪部３４に対応する位置に切欠部３５が、計器ケース３１には、嵌合爪部３４に対応する位置に嵌合孔部３６がそれぞれ設けられている。
【０００５】
そして、表ガラス部３３の嵌合爪部３４を見返し部３２の切欠部３５に入り込ませると共に、計器ケース３１の嵌合孔部３６に嵌合させることにより、見返し部３２および表ガラス部３３が計器ケース３１に組み付けられている。
【０００６】
計器ケース３１には、文字板３７ａや指針３７ｂなどの表示部３７が取り付けられ、見返し部３２には、表示部３７に対応した位置に開口３８が形成されており、透明な表ガラス部３３を通して開口３８から表示部３７が運転者によって目視されるようになっている。
【０００７】
このような車両用計器の構成であると、表ガラス部３３の嵌合爪部３４、見返し部３２の切欠部３５および計器ケース３１の嵌合孔部３６の位置合わせが困難である。
【０００８】
このため、車両用計器の構造の簡略化および見返し部の計器ケースへの組み付けの容易化などを考慮して、図４および図５に示すような計器ハウジング構造が提案されている。
【０００９】
この計器ハウジング構造は、計器ケースに取り付けられた表示部（図示せず）を目視可能とする開口３ａ，３ｂ，３ｃが形成されたパネル部２と、開口３ａ，３ｂ，３ｃの周縁に沿ってパネル部２の裏側に延出されて形成されたフード部４ａ，４ｂ，４ｃと、計器ケースの嵌合孔部（図示せず）に嵌合し、パネル部２の裏側に突出して形成された嵌合爪部５とを有している。
【００１０】
そして、嵌合爪部５は、パネル部２と垂直方向に突出され、この嵌合爪部５を計器ケースに設けられた嵌合孔部（図示せず）に嵌合させることにより、計器ケースの表側に計器ハウジングを組み付けることができる。
【００１１】
なお、この計器ハウジング構造においては、フード部４ａ，４ｂ，４ｃが文字板の周縁を隠す見返し部となり、開口３ａ，３ｂ，３ｃには必要に応じて板ガラスが装着される。
【特許文献１】特許第３５９０７４５号公報（図５、０００２段落乃至０００４段落）
【発明の開示】
【発明が解決しようとする課題】
【００１２】
しかしながら、図４および図５に示した計器ハウジング構造においては、嵌合爪部５が形成されたパネル部２の反対面（パネル部２の表面）にヒケ（窪み）７が発生し、計器の外観品質が低下するという問題がある。
【００１３】
そこで、本発明は、パネル部の表面におけるヒケの発生を低減して外観品質を向上させることができる計器ハウジング構造を提供することを目的としている。
【課題を解決するための手段】
【００１４】
計器ケースの表側に配設されるハウジング本体を有する計器ハウジングであって、
前記ハウジング本体は、前記計器ケースに取り付けられた表示部を目視可能とする開口が形成されたパネル部と、前記計器ケースの嵌合孔部に嵌合し、該パネル部の裏側に突出して形成された嵌合爪部とを有し、該嵌合爪部には前記パネル部の表面のヒケを低減する肉盗み部が形成されている計器ハウジング構造を特徴としている。
【発明の効果】
【００１５】
このように構成された本発明のものは、パネル部の裏側に突出して形成された嵌合爪部に肉盗み部を形成することにより、嵌合爪部の樹脂材料をパネル部表側に補充するものである。
【００１６】
これによって、パネル部表側におけるヒケの発生が低減され、パネル部の外観品質を向上させることができる計器ハウジング構造を実現できる。
【発明を実施するための最良の形態】
【００１７】
以下、本発明の最良の実施の形態について図面を参照して説明する。
【００１８】
なお、前記従来例（図４、図５）と同一乃至均等な部分については、同一符号を付して説明すると共に、計器ケースは、図３に示すように表示部および嵌合孔部を有しているものとして説明する。
【００１９】
図１は、計器ケース（図示せず）の表側に配設される本実施の形態によるハウジング本体１を示しており、ハウジング本体１は、計器ケースに取り付けられた表示部（図示せず）を目視可能とする開口３ａ，３ｂ，３ｃが形成されたパネル部２と、これら開口３ａ，３ｂ，３ｃの周縁に沿ってパネル部２の裏側に延出させて形成されたフード部４ａ，４ｂ，４ｃと、計器ケースの嵌合孔部（図示せず）に嵌合し、パネル部２の裏側に突出して形成された複数の嵌合爪部５とを有している。
【００２０】
嵌合爪部５は、パネル部２と垂直方向に突出され、嵌合爪部５の基部には、肉盗み部としての凹部６が形成されている。
【００２１】
凹部６は、各嵌合爪部５に横方向に複数個（本実施の形態では３個）形成されており、このように、凹部６を分散させることにより、嵌合爪部５の強度の低下が抑制される。
【００２２】
また、凹部６は、嵌合爪部５の先端に形成されたフック５ａと同様に嵌合爪部５の外側方向（図１の手前方向）に形成されており、スライド型を使用して嵌合爪部５の外側方向に型抜きすることにより凹部６およびフック５ａを１回の成形で形成することができる。
【００２３】
このように構成されたハウジング本体１は、嵌合爪部５を計器ケースに設けられた嵌合孔部（図示せず）に嵌合させることにより、計器ケースの表側に組み付けることができる。
【００２４】
このハウジング本体１においては、フード部４ａ，４ｂ，４ｃが計器ケースの文字板（図示せず）の周縁を隠す見返し部となり、開口３ａ，３ｂ，３ｃには必要に応じて板ガラスが装着される。
【００２５】
次に、本実施の形態の計器ハウジングの作用を説明する。
【００２６】
本実施の形態の計器ハウジングにおけるハウジング本体１は、パネル部２の裏側に突出して形成された嵌合爪部５に肉盗み部としての凹部６が形成されることにより、嵌合爪部５の樹脂材料がパネル部２の表側に補充されるようになる。
【００２７】
これによって、パネル部２の表側におけるヒケの発生が低減され、パネル部２の外観品質を向上させることができる。
【００２８】
以上、図面を参照して、本発明の最良の実施の形態を詳述してきたが、具体的な構成は、この実施の形態に限らず、本発明の要旨を逸脱しない程度の設計的変更は、本発明に含まれる。
【００２９】
例えば、前記実施の形態では、フード部４ａ，４ｂ，４ｃを設けたハウジング本体１を説明したが、フード部が存在しないハウジング本体であってもよい。
【００３０】
また、開口を３個有するハウジング本体を説明したが、開口の数は１個以上であれば良く、個数は限定されるものではない。
【００３１】
さらに、各嵌合爪部５に３個の凹部６を設けた例を説明したが、凹部の数は１個以上あれば良く、個数は限定されるものではない。
【図面の簡単な説明】
【００３２】
【図１】本発明の最良の実施の形態の計器ハウジング構造の全体の構成を説明する斜視図である。
【図２】本発明の最良の実施の形態の計器ハウジング構造を示す図１のＸ−Ｘ線断面図である。
【図３】従来例の車両用計器の全体の構成を説明する斜視図である。
【図４】従来提案されている計器ハウジングの全体の構成を説明する斜視図である。
【図５】従来提案されている計器ハウジングを示す図４のＹ−Ｙ線断面図である。
【符号の説明】
【００３３】
１  ハウジング本体
２  パネル部
３ａ，３ｂ，３ｃ  開口
５  嵌合爪部
６  凹部（肉盗み部）
【図１】
2006284253.tif 000003
【図２】
2006284253.tif 000004
【図３】
2006284253.tif 000005
【図４】
2006284253.tif 000006
【図５】
2006284253.tif 000007